(57)【要約】      （修正有）【課題】部屋の壁・床・天井の表面近傍に遠赤外線等放射物質を含む材料による遠赤外線等共鳴層を形成することで、部屋を狭くせずに利用できる波動空間生成装置を提供する。【解決手段】所定温度の媒体液２０を循環させる循環パイプ１２０を内部に設け、人体共鳴吸収領域の波長における放射率が所定値以上の遠赤外線等放射物質を含む材料で表面を形成したＢＭＥ発生パネル１２とＢＭＥ共鳴プレート１４とを備え、ＢＭＥ発生パネル１２とＢＭＥ共鳴プレート１４とにより囲まれた波動空間２２を構成する波動空間生成装置１０を形成する。また、ＢＭＥ共鳴プレートは、波動空間２２を構成する部屋３２の壁３４、床３６、天井３８等の表面近傍に遠赤外線等放射物質を含む材料によるＢＭＥ共鳴層（ＢＭＥ共鳴シート、ＢＭＥ放射物質混入接着剤）を形成する。【選択図】図２
0003170066.tif 000002
【実用新案登録請求の範囲】
【請求項１】
所定温度の媒体液を循環させるパイプを内部に設け、人体共鳴吸収領域の波長における放射率が所定値以上の遠赤外線等放射物質を含む材料で表面を形成した遠赤外線等発生パネルと、前記遠赤外線等放射物質を含む材料で表面又は表面近傍を形成した遠赤外線等共鳴プレートとを備え、前記遠赤外線等発生パネルと前記遠赤外線等共鳴プレートとにより囲まれた空間を構成する波動空間生成装置に於いて、
前記遠赤外線等共鳴プレートは、前記空間を構成する部屋の壁・床・天井の少なくとも何れか一面の表面近傍に前記遠赤外線等放射物質を含む材料による遠赤外線等共鳴層を形成したことを特徴とする波動空間生成装置。
【請求項２】
請求項１記載の波動空間生成装置において、前記遠赤外線等共鳴層は、前記体共鳴吸収領域の波長４〜１２μｍの遠赤外線の放射率が９０％以上となる波動石を原料とした遠赤外線等放射物質を含むことを特徴とする波動空間生成装置。
【請求項３】
請求項２記載の波動空間生成装置において、前記遠赤外線等共鳴層は、前記壁・床・天井の表面を構成する内装材の裏側に配置したシートで形成したことを特徴とする波動空間生成装置。
【請求項４】
請求項３記載の波動空間生成装置において、前記シートは、前記波動石を粉砕した微粉末を含有した合成樹脂シートであり、防湿シートとして使用可能であることを特徴とする波動空間生成装置。
【請求項５】
請求項２記載の波動空間生成装置において、前記遠赤外線等共鳴層は、前記壁・床・天井の表面を構成する内装材を接着した接着剤で形成したことを特徴とする波動空間生成装置。
【請求項６】
請求項５記載の波動空間生成装置において、前記接着剤は、前記波動石を粉砕した微粉末を混入したデンプン糊であり、壁紙接着用のクロス糊として使用可能であることを特徴とする波動空間生成装置。
【考案の詳細な説明】
【技術分野】
【０００１】
本考案は、波動石（角閃石）を原料とした微弱磁気エネルギー、マイナスイオン及び遠赤外線を放射する物質を利用することにより、人間や動植物に好適な微弱磁気エネルギー、マイナスイオン及び遠赤外線を効率よく放射して、家庭、ホテル個室、医療施設などの居住空間を手軽に快適な空間とすることができる波動空間生成装置に関する。
【背景技術】
【０００２】
遠赤外線は、その放射が人体に共鳴吸収されることにより、細胞を活性化して代謝を促進するために健康に良いとされているが、このような効果を享受するためには、遠赤外線の放射されている空間（波動空間）に居ることが必要である。
【０００３】
遠赤外線による波動空間を生成することができる装置としては、例えば引用文献１に記載されているような、遠赤外線発生等パネルと遠赤外線等共鳴プレートによって囲まれた空間を構成する波動空間生成装置がある。
【０００４】
このような波動空間生成装置では、独立したユニットである遠赤外線等共鳴プレートを壁の前に設置して、遠赤外線等発生パネルから放射された遠赤外線を遠赤外線等共鳴プレートで吸収・再放射させること（共鳴現象）で、波動空間を生成している。
【先行技術文献】
【特許文献】
【０００５】
【特許文献１】実用新案登録第３１６３７４７号公報
【考案の概要】
【考案が解決しようとする課題】
【０００６】
しかしながら、このような従来の波動空間生成装置にあっては、独立したユニットである遠赤外線等共鳴プレートを設置するスペースが必要であるため、波動空間生成装置を利用する際に部屋の使用効率が低くなって（使用できる範囲が狭くなって）しまうという問題がある。
【０００７】
本考案は、このような課題を鑑みてなされたものであり、部屋の壁・床・天井の表面近傍に遠赤外線等放射物質を含む材料による遠赤外線等共鳴層を形成することで、部屋の使用効率を低下させずに利用できる波動空間生成装置を提供することを目的とする。
【課題を解決するための手段】
【０００８】
この目的を達成するため、本考案による波動空間生成装置は次のように構成する。本考案は、所定温度の媒体液を循環させるパイプを内部に設け、人体共鳴吸収領域の波長における放射率が所定値以上の遠赤外線等放射物質（ＢＭＥ放射物質）を含む材料で表面を形成した遠赤外線等発生パネル（ＢＭＥ発生パネル）と、遠赤外線等放射物質を含む材料で表面又は表面近傍を形成した遠赤外線等共鳴プレート（ＢＭＥ共鳴プレート）とを備え、遠赤外線等発生パネルと遠赤外線等共鳴プレートとにより囲まれた空間を構成する波動空間生成装置に於いて、遠赤外線等共鳴プレートは、波動空間を構成する部屋の壁・床・天井の少なくとも何れか一面の表面近傍に遠赤外線等放射物質を含む材料による遠赤外線等共鳴層を形成したことを特徴とする。
【０００９】
ここで、遠赤外線等共鳴層は、体共鳴吸収領域の波長４〜１２μｍの遠赤外線の放射率が９０％以上となる波動石を原料とした遠赤外線等放射物質を含む材料で形成する。
【００１０】
また、遠赤外線等共鳴層は、壁・床・天井の表面を構成する内装材の裏側に配置したシート、または、壁・床・天井の表面を構成する内装材を接着した接着剤で形成される。
【００１１】
更に、遠赤外線等共鳴層を形成するシートは、波動石を粉砕した微粉末を含有した合成樹脂シートであり、防湿シートとして使用可能である。また、遠赤外線等共鳴層を形成する接着剤は、波動石を粉砕した微粉末を混入したデンプン糊であり、壁紙接着用のクロス糊として使用可能である。
【考案の効果】
【００１２】
本考案によれば、遠赤外線等共鳴プレートとして、波動空間を構成する部屋の壁・床・天井の少なくとも何れか一面の表面近傍に遠赤外線等放射物質を含む材料による遠赤外線等共鳴層を形成することで、部屋の使用効率を低下させずに波動空間生成装置を利用することができる。
【図面の簡単な説明】
【００１３】
【図１】本考案による波動空間生成装置の全体構成を平面で示す説明図
【図２】本考案による波動空間生成装置の全体構成を断面で示す説明図
【図３】図１、２のＢＭＥ発生パネルの実施形態を示す説明図
【図４】図１、２のＢＭＥ共鳴プレートの実施形態を示す説明図
【図５】図１、２の地中熱交換器の実施形態を示す説明図
【図６】媒体液の循環方向を逆転可能な構成の実施形態を示す説明図
【考案を実施するための形態】
【００１４】
本願においては、微弱磁気エネルギー、マイナスイオン、遠赤外線の３要素を合わせてＢＭＥと称しており、例えば、ＢＭＥ発生パネルであれば、微弱磁気エネルギーとマイナスイオン及び遠赤外線を発生するパネル、という意味となる。
【００１５】
また、以下の実施形態の説明における、ＢＭＥ放射物質、ＢＭＥ発生パネル、ＢＭＥ共鳴プレートの各々は、特許請求の範囲における、遠赤外線等放射物質、遠赤外線等発生パネル、遠赤外線等共鳴プレートに対応している。
【００１６】
図１、２は本考案による波動空間生成装置の全体構成を示した説明図であり、図１は平面図、図２は断面図である。図１、２に示すように、本考案の波動空間生成装置１０は、家屋３０の部屋３２にＢＭＥ発生パネル１２と複数のＢＭＥ共鳴プレート１４を組み合わせ、ＢＭＥによる波動空間２２を構成している。
【００１７】
本実施形態では、後で詳細に説明するように、家屋３０の部屋３２を構成する壁３４、床３６、天井３８の部屋３２側の表面近傍が、各々ＢＭＥ共鳴プレート１４を構成している。
【００１８】
ＢＭＥ発生パネル１２は、パネル内部に配置された循環パイプ１２０に略一定温度の媒体液２０が循環し、パネル温度を所定温度に保持している。媒体液２０は、地下に埋設された地中熱交換器１６から循環ポンプ１８で吸い上げ、供給パイプ１２２によりＢＭＥ発生パネル１２に供給され、ＢＭＥ発生パネル１２内の循環パイプ１２０を循環した後に、還流パイプ１２４から排出され地中熱交換器１６に戻される。
【００１９】
図２に示すように、地中熱交換器１６は、上端部の地表５０からの深さＳが５〜５．５ｍになるように地下に埋設してあるが、これは、地下５〜６ｍの地中温度が年間を通じて約１５〜１６℃（関東地域の場合）と略一定であることからであり、これによって、動力を要する加熱源や冷却源を必要とすることなく、媒体液２０を常に１５〜１６℃に保つことができる。
【００２０】
地中熱交換器１６は、後で詳細に説明するように、電柱埋設工事に使用するドリルマシン（オーガードリル等）で掘削可能な穴径に対応させ、直径３０〜６０ｃｍ程度としてあり、これによって掘削や埋設等の設置工事を容易に行え、設置コストを低く抑えることができる。
【００２１】
媒体液２０は、地中熱交換器１６から循環ポンプ１８、ＢＭＥ発生パネル１２を経由して地中熱交換器１６に戻るという、全揚程６〜７ｍ程度の密閉配管を循環するだけであり、循環水量を、例えば１５Ｌ／ｍｉｎ程度とすると、循環ポンプ１８の消費電力は６０Ｗ程度となる。すなわち、本実施形態の波動空間生成装置１０は、６０Ｗの電球と同程度の運用コストで済むということになる。
【００２２】
また、媒体液２０が常に１５〜１６℃に保たれていることから、媒体液２０として不凍液を使用する必要はなく、この点においても、従来の波動空間生成装置に対して運用コストが低減できる。なお、媒体液２０としては、通常、水道水が使用されることになる。
【００２３】
図３は、図１、２の波動空間生成装置１０に使用されるＢＭＥ発生パネル１２の実施形態を示した説明図であり、図３（Ａ）は、ＢＭＥ発生パネル１２の内部構造を説明するための平面図、図３（Ｂ）は、ＢＭＥ発生パネル１２の断面図である。
【００２４】
図３（Ａ）において、ＢＭＥ発生パネル１２は、長方形に囲った枠体１２６の内側に循環パイプ１２０が屈曲しながら並列して均一に配置されており、また、循環パイプ１２０は枠体１２６内に渡した支持部材１２８に固定されている。
【００２５】
この状態から、図３（Ｂ）に示すように、内部に循環パイプ１２０を配置した枠体１２６の両側から、循環パイプ１２０を挟み込むようにアルミニウム板１３０で覆い、ＢＭＥ発生パネル１２としている。また、アルミニウム板１３０の外側には、ＢＭＥ放射物質を含む塗料が焼付け塗装され、ＢＭＥ放射皮膜１３２を形成している。
【００２６】
ＢＭＥ放射物質としては、少なくとも４〜１２μｍの波長帯の電磁波（遠赤外線）を発生する物質を使用する。４〜１２μｍの波長帯の電磁波は育成光線とも呼ばれ、人間を始めとする動植物に最適な人体共鳴吸収領域となる波長帯である。
【００２７】
本実施形態におけるＢＭＥ放射物質としては、波長帯４〜１２μｍの遠赤外線の放射率が９０％以上となる角閃石（波動石）を使用し、粉砕して粉末にして焼付け塗装用の塗料に混入している。
【００２８】
焼付け塗装用塗料の材料としては、アクリル樹脂系やシリコン樹脂系があり、塗装皮膜は２０〜５０μｍ程度の厚さである。このため、波動石を数μｍのオーダで微粉末とした波動パウダーを、樹脂に重量比で約２０％混入させている。
【００２９】
ＢＭＥ発生パネル１２のパネル面にアルミニウム製の基材を使用する理由は、循環パイプ１２０からの熱伝導を効率よく行うためである。アルミニウムは２２９Ｗ／（ｍ・ｋ）と高い熱伝導率を有し、金属の中では比較的軽量であることからもパネル面として最適な材質のひとつである。
【００３０】
この高熱伝導率を利用して、循環する媒体液２０の温度によるアルミニウム板１３０の表面温度の立ち上がりを素早く行わせるようにしている。そして、アルミニウム板１３０の表面に形成されている波動石入りの皮膜を均一の温度とし、ＢＭＥ放射を効率よく行わせている。
【００３１】
本実施形態のＢＭＥ発生パネル１２は、枠体１２６の両側にアルミニウム板１３０を張り、その表面に波動石の粉末を塗料と共に焼付け塗装してＢＭＥ放射皮膜１３２とする構造であるが、他の構造、例えば枠体１２６内をＢＭＥ放射物質として波動石の砂や砕石を混入したコンクリートやモルタルで埋め、その中に循環パイプ１２０を屈曲させて均一に配置した構造でもよい。
【００３２】
コンクリートやモルタルは、熱伝導率が０．９Ｗ／（ｍ・ｋ）と低く、循環パイプ１２０を循環している媒体液２０の温度まで立ち上がる時間は遅いが、蓄熱材として利用できる。また、循環パイプ１２０の両面をワイヤーメッシュで挟むようにすれば、熱伝導率が良くなり、パネル面の温度均一化が図れる。
【００３３】
本実施形態のＢＭＥ発生パネル１２の大きさは、例えば縦８０ｃｍ、横１８０ｃｍ、厚さは６ｃｍ程度の直方体（厚みのある長方形）であるが、その寸法は設置環境により自由に変更することができ、内部に循環パイプ１２０を配置する厚みがあれば形状も長方形である必要はない。
【００３４】
ＢＭＥ発生パネル１２から放射された微弱磁気エネルギー、マイナスイオン及び遠赤外線は、空間に放射されて共鳴現象により共振空間を形成するが、そのためにはＢＭＥ共鳴プレート１４を設置する必要があり、ＢＭＥ発生パネル１２とＢＭＥ共鳴プレート１４で囲まれた空間が、波動空間２２となる。
【００３５】
図４は、図１、２の波動空間生成装置１０に使用されるＢＭＥ共鳴プレート１４の実施形態を示した説明図であり、図４（Ａ）は、ＢＭＥ共鳴プレート１４が壁３４に設置される構成、図４（Ｂ）は、床３６に設置される構成である。
【００３６】
図４（Ａ）に示すように、壁３４は、外壁４０の内側に設けられている桟４２に、ＢＭＥ共鳴シート１４０を挟み込んで石膏ボード１４２（内装材）を打ち付けてあり、また、石膏ボード１４２の表面にはＢＭＥ放射物質混入接着剤１４４によって、壁紙１４６（内装材）を貼り付けてある。
【００３７】
また、ＢＭＥ共鳴プレート１４を天井３８に設置する場合（図示していない）は、壁３４の構成と略等しく、この壁３４と天井３８の場合、ＢＭＥ共鳴シート１４０、石膏ボード１４２、ＢＭＥ放射物質混入接着剤１４４、壁紙１４６によってＢＭＥ共鳴プレート１４を構成する。
【００３８】
ＢＭＥ共鳴シート１４０は、ＢＭＥ発生パネル１２のＢＭＥ放射皮膜１３２用塗料に混入させているものと同様な、波長帯４〜１２μｍの遠赤外線の放射率が９０％以上となる角閃石（波動石）を粉砕して微粉末にした波動パウダーを含有したシートである。
【００３９】
シートの材質としては、ＢＭＥ共鳴シート１４０が防湿シートを兼ねる場合はポリエチレン等の合成樹脂が望ましいが、紙、不織布等どのようなものでもかまわない。また、ＢＭＥ放射物質混入接着剤１４４は、ＢＭＥ共鳴シート１４０のものと同様な波動パウダーを混入したデンプン糊を壁紙用クロス糊として用いている。
【００４０】
ＢＭＥ共鳴プレート１４を床３６に設置する場合は、図４（Ｂ）に示すように、梁４４の上側に設けられている根太４６に、ＢＭＥ共鳴シート１４０を挟み込んでコンパネ等の下地材１４８（内装材）を打ち付けてあり、また、下地材１４８の表面にはフローリング等の床材１５０（内装材）を設置してある。この場合、ＢＭＥ共鳴シート１４０、下地材１４８、床材１５０によってＢＭＥ共鳴プレート１４を構成する。
【００４１】
床材１５０を釘打ちではなくＢＭＥ放射物質混入接着剤１４４で下地材１４８に貼り付ける場合には、ＢＭＥ共鳴シート１４０、下地材１４８、ＢＭＥ放射物質混入接着剤１４４、床材１５０によってＢＭＥ共鳴プレート１４を構成する。
【００４２】
なお、壁・床・天井の構造は多種多様であるが、どのような構成のものであっても、ＢＭＥ放射物質を含んだシートや接着剤や塗料等をその構成の中で適切に用いることで、ＢＭＥ共鳴プレート１４とすることができる。
【００４３】
ＢＭＥ共鳴プレート１４は、シートや接着剤に混入したＢＭＥ放射物質により、ＢＭＥ発生パネル１２で放射された遠赤外線と共鳴効果を生じるので、ＢＭＥ発生パネル１２と対に組み合わせて配設することで波動空間２２を形成できる。
【００４４】
本考案は、４〜１２μｍの波長帯における遠赤外線、微弱磁気エネルギー及びマイナスイオンによる波動空間２２を生成することを目的としており、熱移動による冷暖房装置ではないので、熱移動効果の大きい同一分子間での熱放射現象を利用するための限定は必要としない。
【００４５】
従って、ＢＭＥ共鳴プレート１４の表面近傍に形成するＢＭＥ放射物質の混合材料は、ＢＭＥ発生パネル１２の表面に形成するＢＭＥ放射物質の混合材料と、材質や含有量が同一である必要はなく、それぞれのＢＭＥ放射物質と混合される材料との適切な調合割合でよい。
【００４６】
図５は、図１、２の地中熱交換器１６の実施形態を示す説明図であり、地中熱交換器１６を埋設した地下の深さを短縮して表している。本実施形態の地中熱交換器１６は、内部に媒体液２０を満たした筒状の密閉容器１６０と、導入パイプ１６８、排出パイプ１７０、エア抜きパイプ１７２、開閉バルブ１７４で構成されている。
【００４７】
密閉容器１６０は、熱伝導率及び耐食性が良い材質、例えばステンレス材で形成し、筒状部１６２、上端面部１６４、下端面部１６６で構成され、筒状部１６２の中心軸を略鉛直方向に配置して地下に埋設している。
【００４８】
本実施形態の密閉容器１６０はステンレス材で形成しているが、コストが比較的高いため、熱伝導率がステンレスより劣るが耐食性が良くまた安価に製造できる合成樹脂、例えば塩化ビニルやポリエチレン等の熱可塑性樹脂を使用することも可能である。
【００４９】
地中熱交換器１６の密閉容器１６０は、前述のように、電柱埋設工事に使用するドリルマシンで掘削可能な穴径に対応させ、直径Ｄを３０〜６０ｃｍ程度とし、筒状部１６２の長さＬは１５０ｃｍ程度とする。また、地表５０からの深さＳが５ｍよりも深い位置、実質的に５〜６ｍの深さに埋設する。
【００５０】
密閉容器１６０の上端面部１６４には、導入パイプ１６８、排出パイプ１７０、エア抜きパイプ１７２が設けられており、導入パイプ１６８、排出パイプ１７０、エア抜きパイプ１７２の各々の他端は、地上に突出している。
【００５１】
導入パイプ１６８は、ＢＭＥ発生パネル１２からの媒体液２０を密閉容器１６０内上部に導入し、排出パイプ１７０は、密閉容器１６０内下部から媒体液２０を循環ポンプ１８へ排出する。
【００５２】
また、エア抜きパイプ１７２は、媒体液２０の密閉容器１６０への供給及び密閉容器１６０の上端部１６４直下からエア抜きを行う。エア抜きパイプ１７２の地上側端部には、大気に対して開閉する開閉バルブ１７４を備えている。
【００５３】
循環ポンプ１８によって、密閉容器１６０内の下部に開口している排出パイプ１７０から吸い上げられた媒体液２０は、供給パイプ１２２からＢＭＥ発生パネル１２内に配置された循環パイプ１２０に供給され、その後、還流パイプ１２４から流出し、密閉容器１６０内の上部に開口している導入パイプ１６８から密閉容器１６０内に流入する。
【００５４】
密閉容器１６０内に戻された媒体液２０は、上部から下部に流動する間に密閉容器１６０の壁面を介して地中熱と熱交換する。媒体液２０は、ＢＭＥ発生パネル１２内の循環パイプ１２０を循環する間にＢＭＥ発生パネル１２のアルミニウム板１３０と熱交換し、夏場であれば１６℃以上の温度で、冬場であれば１５℃以下の温度で密閉容器１６０内に戻るが、いずれの場合であっても、地中熱との熱交換によって地中温度である１５〜１６℃となる。
【００５５】
本実施形態では、地中熱交換器１６から循環ポンプ１８、ＢＭＥ発生パネル１２を経由して地中熱交換器１６に戻る配管を、耐久性やメンテナンス性を考慮して密閉配管にしているが、本考案を実施する際には、この配管を開放配管とすることも可能である。
【００５６】
また、本実施形態の波動空間生成装置１０をホテルの個室等の複数の部屋に適用し、その部屋数が多い場合は、媒体液２０の温度が、部屋毎に設置した複数のＢＭＥ発生パネル１２の循環パイプ１２０と地中熱交換器１６とを循環する間に気温（室温）によって大きく変動してしまうことがある。
【００５７】
その場合、両端の部屋のＢＭＥ発生パネル１２の温度に大きな差が生じ、循環ポンプ１８から遠いＢＭＥ発生パネル１２の中には、許容範囲を超えてしまうものがでることが想定される。しかし、このようなことが起こる可能性がある所定の条件の場合に、媒体液２０が複数のＢＭＥ発生パネル１２を循環する方向を逆転することで、これを防止できる。
【００５８】
図６は、媒体液２０の循環方向を逆転可能な構成の実施形態を示す説明図である。図６に示す構成では、ホテルなどでＢＭＥ発生パネル１２を設置した部屋を例えば４部屋を単位にグループを構成し、このグループに含まれるＢＭＥ発生パネル１２を循環パイプ１２０によりループ状に接続し、循環ポンプ１８からの循環パイプ１２０と地中熱交換器１６への戻る循環パイプ１２０の間に、複数のＢＭＥ発生パネル１２間の媒体液２０の循環方向を逆転させる電磁弁２４（２位置２方弁）を設け、更に循環ポンプ１８と電磁弁２４を制御するコントローラ２６を備えている。
【００５９】
このように複数のＢＭＥ発生パネル１２を循環パイプ１２０によりループ状に接続して循環ポンプ１８により媒体液２０を循環させた場合、地中熱交換器１６からの距離が長くなって循環に時間がかかり、その間に周囲温度により循環液２０の温度が変化するようになる。
【００６０】
そこで図６に示すように循環方向を逆転させる電磁弁２４（２位置２方弁）を設けることで、所定時間毎、例えば３０分毎にコントローラ２６によって電磁弁２４を切換え、媒体液２０の循環方向を逆転させることで、複数のＢＭＥ発生パネル１２の温度を許容範囲内で均一に保つことができる。
【００６１】
以上、本考案による波動空間生成装置１０の実施形態を説明したが、その機能的な面であるＢＭＥ発生パネル１２から発生した遠赤外線（電磁波）の共鳴について、以下に概念的に説明する。
【００６２】
図１、２に示すように、地中熱交換器１６によって１５〜１６℃の一定温度に保持されたＢＭＥ発生パネル１２から放射された遠赤外線は、ＢＭＥ共鳴プレート１４に吸収される。ＢＭＥ共鳴プレート１４では波動石を原料とするＢＭＥ放射物質を含み、波長が４〜１２μｍ帯での遠赤外線の放射率が９０％以上と高放射率であることから、ＢＭＥ共鳴プレート１４のＢＭＥ放射物質から遠赤外線が再放射される。
【００６３】
これが共鳴現象であり、ＢＭＥ共鳴プレート１４から再放射された遠赤外線は、他のＢＭＥ共鳴プレート１４に放射され、同様に共鳴現象により遠赤外線が再放射される。更に、ＢＭＥ共鳴プレート１４から放射された遠赤外線は、ＢＭＥ発生パネル１２にも放射される。
【００６４】
このように、放射された遠赤外線が、発生源であるＢＭＥ発生パネル１２と複数のＢＭＥ共鳴プレート１４とによって共鳴現象を生ずることにより、ＢＭＥ発生パネル１２と複数のＢＭＥ共鳴プレート１４とで囲まれた空間は、ＢＭＥ（微弱磁気エネルギー、マイナスイオン及び遠赤外線）からなる波動エネルギーの存在する波動空間２２となる。
【００６５】
なお、本考案による波動空間生成装置１０は、波動石（角閃石）を原料とするＢＭＥ放射物質を利用して、日常的にＢＭＥが効率良く放射され、波動エネルギーが高密度に存在する波動空間２２を形成することを目的としている。
【００６６】
すなわち、直接的に室内の温度調整を行うことを意図するものではないことから、例えば波動空間生成装置１０を設置した部屋３２に、冬場であれば必要に応じて暖房器具を設置して暖房しても良く、また夏場であれば冷房機器を設置して冷房を行うようにしても良い。
【００６７】
また、本考案は上記の実施形態に限定されず、その目的と利点を損なうことのない適宜の変形を含み、更に上記の実施形態に示した数値等による限定は受けない。
【符号の説明】
【００６８】
１０：波動空間生成装置
１２：ＢＭＥ発生パネル（遠赤外線等発生パネル）
１４：ＢＭＥ共鳴プレート（遠赤外線等共鳴プレート）
１６：地中熱交換器
１８：循環ポンプ
２０：媒体液
２２：波動空間
２４：電磁弁
２６：コントローラ
３０：家屋
３２：部屋
３４：壁
３６：床
３８：天井
４０：外壁
４２：桟
４４：梁
４６：根太
５０：地表
１２０：循環パイプ
１２２：供給パイプ
１２４：還流パイプ
１２６：枠体
１２８：支持部材
１３０：アルミニウム板
１３２：ＢＭＥ放射皮膜
１４０：ＢＭＥ共鳴シート
１４２：石膏ボード（内装材）
１４４：ＢＭＥ放射物質混入接着剤
１４６：壁紙（内装材）
１４８：下地材（内装材）
１５０：床材（内装材）
１６０：密閉容器
１６２：筒状部
１６４：上端面部
１６６：下端面部
１６８：導入パイプ
１７０：排出パイプ
１７２：エア抜きバルブ
１７４：開閉バルブ
【図１】
0003170066.tif 000003
【図２】
0003170066.tif 000004
【図３】
0003170066.tif 000005
【図４】
0003170066.tif 000006
【図５】
0003170066.tif 000007
【図６】
0003170066.tif 000008